(57)【要約】【課題】鞄の肩掛けベルトのフックと金具の摩滅による疲労破壊を防止することが可能な補強材として使用する織物およびそれを用いた鞄を提供する。【解決手段】鞄の肩掛けベルトのフックおよび／または該フックを取り付ける金具を被覆するために用いることを特徴とする織物。【選択図】図１
2005312622.tif 000002
【特許請求の範囲】
【請求項１】
鞄の肩掛けベルトのフックおよび／または該フックを取り付ける金具を被覆するために用いることを特徴とする織物。
【請求項２】
前記織物にポリアミド繊維を用することを特徴とする請求項１に記載の織物。
【請求項３】
前記ポリアミド繊維の織物への混用率が２５重量％以上であることを特徴とする請求項１または２に記載の織物。
【請求項４】
請求項１〜３のいずれかに記載の織物が被覆されてなることを特徴とする鞄の肩掛けベルトのフック。
【請求項５】
請求項１〜３のいずれかに記載の織物が被覆されてなることを特徴とする鞄の肩掛けベルトのフックを取り付ける金具。
【請求項６】
請求項４に記載の肩掛けベルトのフックおよび／または請求項５に記載の鞄の肩掛けベルトのフックを取り付ける金具を装着してなることを特徴とする鞄。
【発明の詳細な説明】
【技術分野】
【０００１】
本発明は鞄の肩掛けベルトのフックや金具の破損を効果的に防止できる補強材として使用する織物およびそれを用いた鞄に関するものである。
【背景技術】
【０００２】
鞄にはたくさんの種類があるが、グリップ部分をずっと持ち続けると特に握力のない人ほど疲れるため、その負担を軽減するために、また鞄の種類によってはファッション性重視もかねて肩掛けベルトが付属しているものが普及している。また、肩掛けベルトには本体に縫いつけられている一体型タイプや、直接金具にベルトを通してあるタイプもあるが、好みや目的によって取り外しができるよう、ベルトの先端がフックになっており、これを鞄本体の金具に引っかけて用いるタイプも多く、このフックや金具は一般的に銅や鉄、亜鉛、すず、鉛、黄銅のような一般的な金属が用いられているのが普通である（例えば、特許文献１参照）。
【０００３】
しかしながら、鞄にたくさんの物を入れると当然重くなるため、その時に肩掛けベルトを使用するとフックと金具との間に負荷が集中する。特にベルトを肩に掛けたまま鞄を持ち歩くとフックと金具の間に摩擦が多くかかるうえ、歩くたびに鞄が揺られて、その結果、フックと金具の間の摩耗が進み、ついには耐えきれなくなって金具またはフックが摩滅して欠けたような形状になり破損してしまう。
【０００４】
これを防止するにはフックを大きくしたり、金具部分を太くすることでもある程度の寿命延長には効果があるが、材料費アップにもなるほか、特に金具においては精度の良い曲げ加工を施すのが困難になり、金具が大きくなると見た目にも不格好になる欠点があった。
【０００５】
次に考えられる方法はフックや金具の材質を変更したり、チタン等を含有して合金化して強化する方法であるが、これも材料費アップの要因になるほか、曲げ加工性への影響も懸念される。また、フックや金具の材質を樹脂にしているものもみられるが、摩耗には非常に効果的ではあるものの今度は金属と違って柔らかくないためもろく、急激な力がかかるとフックまたは金具が折れてしまう場合がある。
【０００６】
このため、重い負荷に耐える肩掛けベルト用フックや金具が要求されていた。
【特許文献１】再表９９／０２４６２８号公報
【発明の開示】
【発明が解決しようとする課題】
【０００７】
本発明は、鞄の肩掛けベルトのフックと金具の摩滅による疲労破壊を防止することが可能な補強材として使用する織物およびそれを用いた鞄を提供することにある。
【課題を解決するための手段】
【０００８】
本発明は、上記課題を解決するために、次のような手段を採用するものである。
【０００９】
（１）鞄の肩掛けベルトのフックおよび／または該フックを取り付ける金具を被覆するために用いることを特徴とする織物。
【００１０】
（２）前記織物にポリアミド繊維を用することを特徴とする前記（１）に記載の織物。
【００１１】
（３）前記ポリアミド繊維の織物への混用率が２５重量％以上であることを特徴とする前記（１）または（２）に記載の織物。
【００１２】
（４）前記（１）〜（３）のいずれかに記載の織物が被覆されてなることを特徴とする鞄の肩掛けベルトのフック。
【００１３】
（５）前記（１）〜（３）のいずれかに記載の織物が被覆されてなることを特徴とする鞄の肩掛けベルトのフックを取り付ける金具。
【００１４】
（６）前記（４）に記載の肩掛けベルトのフックおよび／または前記（５）に記載の鞄の肩掛けベルトのフックを取り付ける金具を装着してなることを特徴とする鞄。
【発明の効果】
【００１５】
本発明により、鞄の肩掛けベルトのフックと金具の間の摩耗強度を強化、ひいては破損を効果的に防止することが可能となる。
【発明を実施するための最良の形態】
【００１６】
以下、本発明についてさらに詳細に説明する。
【００１７】
本発明に用いる補強材は織物である。編物は布帛の目が粗く、布帛を構成する糸同士が動きやすいため、ベルトを肩に掛けて鞄を持ち歩くと繊維同士がこすれて目ずれを起こしやすく、その結果破れやすくなる。破れたところで、フックと金具が擦れあい、金属同士の摩耗で結局破損してしまいやすくなるので、目ずれを起こしにくい織物を用いるモノである。また、織物に使用する原糸はフィラメントでも紡績糸でもどちらでも問題なく使用可能である。
【００１８】
本発明の鞄の肩掛けベルトのフックおよび／または該フックを取り付ける金具を被覆するために用いる織物に用いる素材はポリアミド繊維であることが好ましい。ポリエステル等その他の素材では織物の摩耗強度が弱いため、摩耗に強いポリアミド繊維であることが好ましい。ポリアミド繊維にはナイロン、アラミド繊維等が用いられるが、コスト面を含めた汎用性の面ではナイロンが最も好ましい。摩耗強度の面ではナイロン６６が好ましいが、コスト的に有利なナイロン６でも従来技術に対比して十分な機能を発揮可能である。
【００１９】
生地の混用率も基本的にはポリアミド繊維の比率が２５重量％以上、好ましくは５０重量％以上、さらに好ましくは７０重量％以上を使用することがよい。ポリアミド繊維の比率が２５重量％を下回ると摩耗強度面で不具合を生じ、結果破れやすくなってしまうためである。
【００２０】
以上の条件を満たした織物をフックおよび／または金具に取り付けることにより、フック部分と金具部分との摩擦による摩耗が軽減し、耐久性を向上させることが可能となる。
【００２１】
鞄としては、通常のビジネス鞄やセカンドバッグのほか、旅行用鞄やゴルフバッグ、その他のスポーツバッグ、登山用鞄、ランドセルなど、肩掛けベルトと金具がセットで使用されるあらゆる鞄に適用することが可能であり、それらのいずれにおいても本発明を適用することが可能である。
【実施例】
【００２２】
以下に実施例を挙げて本発明をより具体的に説明するが、本発明はこれら実施例に限定されるものではない。なお、実施例中の％および部とは、限らない限り重量基準である。
【００２３】
なお、本実施例中で採用した評価方法は次のとおりである。
［耐久性］
図１に示すような市販のビジネス用鞄（幅４７０ｍｍ×奥行き１２５ｍｍ×高さ３３５ｍｍ）のフック（図２の１）と金具（図２の２）を一旦外し、銅１００％からなる金具部分に各織物（図３の３）を巻き付け市販の接着剤で接着し、図４のような状態にしたあと、図１のような状態にして鞄の中身が平均１０ｋｇの状態にて肩掛けベルトとして使用して、ベルトが使えなくなる状態（フックか金具が破損する状態）までの期間を調査した値である。なお、肩掛けベルトを使用した状態での歩行時間は１日あたり約１時間、週５日の使用である。
【００２４】
［実施例１］
図３の織物をナイロン６原綿１．７デシテックス×３８ｍｍ１００％使いの３０ｓ紡績糸１００％からなる平織物として、図４のように巻き付けて耐久性試験をした。結果を表１に示す。
【００２５】
［実施例２］
図３の織物をナイロン６６原綿１．７デシテックス×３８ｍｍ１００％使いの３０ｓ紡績糸１００％からなる平織物として、図４のように巻き付けて耐久性試験をした。結果を表１に示す。
【００２６】
［比較例１］
図３の織物をポリエチレンテレフタレートを主成分とするポリエステル原綿１．７デシテックス×３８ｍｍ１００％使いの３０ｓ紡績糸１００％からなる平織物として、図４のように巻き付けて耐久性試験をした。結果を表１に示す。
【００２７】
［比較例２］
図３の織物のかわりに２．０ｍｍ厚の牛革を使用して、図４のように巻き付けて耐久性試験をした。結果を表１に示す。
【００２８】
［比較例３］
図２のフックと金具をナイロン６樹脂にして耐久性試験をした。結果を表１に示す。
【００２９】
［比較例４］
図２のフックと金具にナイロン６樹脂を０．５ｍｍ厚でメッキして、耐久性試験をした。結果を表１に示す。
【００３０】
［比較例５］
メッキ、織物巻付などなにもしない状態で耐久性試験をした。結果を表１に示す。
【００３１】
【表１】
2005312622.tif 000003
【図面の簡単な説明】
【００３２】
【図１】本発明の実施例にて使用したビジネス用鞄およびその使用形態を示す模式図である。
【図２】肩掛けベルトのフックと金具の拡大図である。
【図３】本発明にて巻き付けた織物の模式図の例である。
【図４】本発明にて織物を金具に巻き付けた状態およびフックを引っかけた状態の例を示す模式図である。
【符号の説明】
【００３３】
１：肩掛けベルトのフック
２：肩掛けベルトのフックに引っかける金具
３：金具に巻き付けた織物
【図１】
2005312622.tif 000004
【図２】
2005312622.tif 000005
【図３】
2005312622.tif 000006
【図４】
2005312622.tif 000007